(57)【要約】【課題】ユーザの所望するサイズ及び種類の画像形成媒体に容易且つ迅速に画像を形成させることのできるようにする。【解決手段】画像形成管理装置２において、複数の複合機３Ａ、３Ｂ、３Ｃにおいて画像形成可能に用意されている用紙のサイズ情報と種類情報とが対応付けられた媒体情報を記憶するＲＡＭ１５と、ＲＡＭ１５に記憶されているサイズ情報と種類情報との組合せに対応するサイズ情報及び種類情報を選択可能に表示して、ユーザから選択指定を受け付ける指定受付処理部１３ｂ及び表示制御部１３ｃと、受け付けたサイズ情報及び種類情報が示す用紙が用意されている複合機３Ａ、３Ｂ、又は３Ｃに対して、画像を形成させる画像データを送信する送信処理部１３ｄとを有するように構成する。【選択図】図２
2007188154.tif 000002
【特許請求の範囲】
【請求項１】
複数の画像形成装置において画像形成可能に用意されている画像形成媒体のサイズ情報と画像形成媒体の種類情報とが対応付けられた媒体情報を記憶する媒体情報記憶手段と、
前記媒体情報記憶手段に記憶されている前記サイズ情報と前記種類情報との組合せに対応するサイズ情報及び種類情報を選択可能に表示して、ユーザから選択指定を受け付ける媒体指定受付手段と、
前記受け付けたサイズ情報及び種類情報が示す画像形成媒体が用意されている前記画像形成装置に対して、画像を形成させる画像データを送信する画像データ送信手段と、
を有する画像形成管理装置。
【請求項２】
前記媒体指定受付手段は、
前記画像を形成させる画像形成媒体のサイズ情報、または種類情報の一方の情報に対する指定を受け付ける第１指定受付手段と、
前記受け付けた一方の情報に対応付けられた他方の情報を前記媒体情報記憶手段から検出する検出手段と、
前記検出した他方の情報を識別可能に表示する検出情報表示手段と、
前記表示された他方の情報に対する指定を受け付ける第２指定受付手段とを有し、
前記画像データ送信手段は、
前記第１指定受付手段が受け付けた一方の情報と、前記第２指定受付手段が受け付けた他方の情報とが示す前記画像形成媒体が用意されている前記画像形成装置に対して、画像形成させる前記画像データを送信する
ことを特徴とする請求項１に記載の画像形成管理装置。
【請求項３】
サイズ情報及び種類情報を選択可能に表示する候補表示手段を更に備え、
前記第１指定受付手段は、前記候補表示手段により表示された情報中から選択指定を受け付けることを特徴とする請求項２に記載の画像形成管理装置。
【請求項４】
複数の前記画像形成装置から前記媒体情報を受信する媒体情報受信手段と、
前記受信した媒体情報を前記媒体情報記憶手段に格納する媒体情報格納手段とを更に有する請求項１乃至請求項３のいずれか一項に記載の画像形成管理装置。
【請求項５】
前記媒体情報受信手段は、ユーザから種類情報又はサイズ情報の指定を受け付ける直前に、前記媒体情報を複数の前記画像形成装置から取得することを特徴とする請求項４に記載の画像形成管理装置。
【請求項６】
前記画像データを送信した前記画像形成装置を示す情報を表示する装置情報表示手段を更に有する請求項１乃至請求項５のいずれか一項に記載の画像形成管理装置。
【請求項７】
画像データに基づいて画像を画像形成媒体に形成する複数の画像形成装置と、前記画像データを前記画像形成装置に送信する画像形成管理装置とを有する画像形成システムであって、
前記各画像形成装置は、
当該画像形成装置において、画像形成可能に用意されている画像形成媒体のサイズ情報と種類情報とを対応付けた媒体情報を記憶する自己媒体情報記憶手段と、
前記媒体情報を前記画像形成管理装置に送信する送信手段と、
受信した画像データに基づいて画像形成媒体に画像を形成する画像形成手段とを有し、
前記画像形成管理装置は、
複数の前記画像形成装置において画像形成可能に用意されている画像形成媒体のサイズ情報と画像形成媒体の種類情報とが対応付けられた媒体情報を記憶する媒体情報記憶手段と、
前記媒体情報記憶手段に記憶されている前記サイズ情報と前記種類情報との組合せに対応するサイズ情報及び種類情報を選択可能に表示してユーザから選択指定を受け付ける媒体指定受付手段と、
前記受け付けたサイズ情報及び種類情報が示す画像形成媒体が用意されている前記画像形成装置に対して、画像を形成させる画像データを送信する画像データ送信手段と、
を有する画像形成システム。
【請求項８】
前記送信手段は、前記媒体情報が変更される際に、前記画像形成管理装置に、前記媒体情報を送信することを特徴とする請求項７に記載の画像形成システム。
【請求項９】
画像形成させる画像データを画像形成装置に送信する画像形成管理装置による画像形成管理方法であって、
前記画像形成管理装置は、複数の画像形成装置において画像形成可能に用意されている画像形成媒体のサイズ情報と画像形成媒体の種類情報とが対応付けられた媒体情報を媒体情報記憶手段に記憶しており、
前記媒体情報記憶手段に記憶されている前記サイズ情報と前記種類情報との組合せに対応するサイズ情報及び種類情報を選択可能に表示してユーザから選択指定を受け付ける媒体指定受付ステップと、
前記受け付けたサイズ情報及び種類情報が示す画像形成媒体が用意されている前記画像形成装置に対して、画像を形成させる画像データを送信する画像データ送信ステップと、
を有する画像形成管理方法。
【請求項１０】
画像形成させる画像データを画像形成装置に送信する画像形成管理装置を構成するコンピュータに実行させるための画像形成管理プログラムであって、
前記コンピュータには、
複数の画像形成装置において画像形成可能に用意されている画像形成媒体のサイズ情報と画像形成媒体の種類情報とが対応付けられた媒体情報を記憶する媒体情報記憶手段が備えられ、
前記コンピュータを、
前記媒体情報記憶手段に記憶されている前記サイズ情報と前記種類情報との組合せに対応するサイズ情報及び種類情報を選択可能に表示して、ユーザから選択指定を受け付ける媒体指定受付手段と、
前記受け付けたサイズ情報及び種類情報が示す画像形成媒体が用意されている前記画像形成装置に対して、画像を形成させる画像データを送信する画像データ送信手段として機能させる画像形成管理プログラム。
【発明の詳細な説明】
【技術分野】
【０００１】
本発明は、画像を形成するための画像データを画像形成装置に送信する画像形成管理装置等に関する。
【背景技術】
【０００２】
従来、ＰＣ（Personal Computer）等において作成された文章等の画像を形成させる際には、ＰＣに接続されたプリンタに画像データを送信して印刷を行わせるようにしている。
近年では、ＰＣがネットワークに接続されるとともに、更にネットワークに複数の複合機やプリンタ等の画像形成装置が接続されるようになり、ＰＣからネットワークを介していずれかの画像形成装置に画像データを送信して印刷を行わせることができるようになっている。
このような状況において、実行時間や出力速度についての出力条件を達成可能な装置でジョブを実行するようにしたものが知られている。（例えば、特許文献１参照）。
【特許文献１】特開２００２−１６０４３０号公報
【発明の開示】
【発明が解決しようとする課題】
【０００３】
紙やＯＨＰシート等の画像形成媒体に画像を形成させる際には、画像が形成される画像形成媒体のサイズや、種類がユーザにより重要視される場合がある。
このような場合には、サイズ及び種類を指定して画像データを画像形成装置に送信して、印刷させることとなるが、予め設定したサイズ及び種類の画像形成媒体が画像形成装置に存在しない場合には、印刷が行われずに、該当する画像形成媒体を画像形成装置に用意することを促がすメッセージがユーザのＰＣに表示されたり、或いは、要求と異なる画像形成媒体に印刷されてしまったりする。
印刷が行われない場合においては、該当する種類及びサイズの画像形成媒体を画像形成装置に用意することが必要となり、ユーザにとって手間がかかってしまう。
また、要求と異なる画像形成媒体に画像が形成された場合には、その画像形成媒体では、ユーザが満足することができず、画像形成媒体自体が無駄になってしまう虞もある。
【０００４】
また、ネットワークに接続された複数の画像形成装置からユーザの所望するサイズ及び種類で印刷することのできる画像形成装置を探し出して画像データを送信することも考えられるが、このような画像形成装置を探すことは手間がかかり、困難であり、更に時間がかかってしまうという問題がある。
また、ネットワークに接続されたいずれの画像形成装置においてもユーザが所望したサイズ及び種類の画像形成媒体が用意されていないことも考えられる。
このような場合には、所望するサイズ及び種類の画像形成媒体を画像形成装置に用意するか、或いは、ユーザが次に所望する別のサイズ及び種類の画像形成媒体に対しての印刷の指示を実行する等の必要があり、いずれにしても、手間がかかってしまうとともに、印刷するまで時間がかかってしまう。
本発明は、上記課題に鑑みなされたものであり、その目的は、ユーザの所望するサイズ及び種類の画像形成媒体に容易且つ迅速に画像を形成させることのできる技術を提供することにある。
【課題を解決するための手段】
【０００５】
上記目的達成のため、本発明の一実施形態に係る画像形成管理装置は、複数の画像形成装置において画像形成可能に用意されている画像形成媒体のサイズ情報と画像形成媒体の種類情報とが対応付けられた媒体情報を記憶する媒体情報記憶手段と、媒体情報記憶手段に記憶されているサイズ情報と種類情報との組合せに対応するサイズ情報及び種類情報を選択可能に表示して、ユーザから選択指定を受け付ける媒体指定受付手段と、受け付けたサイズ情報及び種類情報が示す画像形成媒体が用意されている画像形成装置に対して、画像を形成させる画像データを送信する画像データ送信手段と、を有する。
【０００６】
かかる構成によると、画像形成装置に用意されている画像形成媒体のサイズ及び種類の中からユーザが所望するサイズ及び種類の画像形成媒体を容易に選択することができ、当該画像形成媒体が用意されている画像形成装置に画像データを送信することができる。これによって、当該画像形成装置において、ユーザの所望するサイズ及び種類の画像形成媒体に画像を形成させることができる。
【０００７】
画像形成管理装置において、媒体指定受付手段は、画像を形成させる画像形成媒体のサイズ情報、または種類情報の一方の情報に対する指定を受け付ける第１指定受付手段と、受け付けた一方の情報に対応付けられた他方の情報を媒体情報記憶手段から検出する検出手段と、検出した他方の情報を識別可能に表示する検出情報表示手段と、表示された他方の情報に対する指定を受け付ける第２指定受付手段とを有し、画像データ送信手段は、第１指定受付手段が受け付けた一方の情報と、第２指定受付手段が受け付けた他方の情報とが示す画像形成媒体が用意されている画像形成装置に対して、画像形成させる画像データを送信するようにしてもよい。
【０００８】
かかる構成によると、ユーザが種類を指定すると、その種類であって画像形成装置に用意されているサイズが表示されることとなり、ユーザは、その中から選択してサイズを指定することができ、指定した画像形成媒体に画像を迅速に形成させることができる。また、ユーザがサイズを指定すると、そのサイズであって画像形成装置に用意されている種類が表示されることとなり、ユーザはその中から選択して種類を指定することができ、指定した画像形成媒体に画像を迅速に形成させることができる。
したがって、ユーザが所定の種類の画像形成媒体を絶対条件としている場合において、画像形成可能なサイズの中からユーザが所望するものを選択することができ、また、ユーザが所定のサイズの画像形成媒体を絶対条件としている場合において、画像形成可能な種類の中からユーザが所望するものを選択することができる。
【０００９】
また、画像形成管理装置において、サイズ情報及び種類情報を選択可能に表示する候補表示手段を更に備え、第１指定受付手段は、候補表示手段により表示された情報中から選択指定を受け付けるようにしてもよい。
かかる構成によると、サイズと種類とを容易に選択することができる。
【００１０】
また、画像形成管理装置において、複数の画像形成装置から媒体情報を受信する媒体情報受信手段と、受信した媒体情報を媒体情報記憶手段に格納する媒体情報格納手段とを更に有するようにしてもよい。
かかる構成によると、画像形成装置から媒体情報を受信して格納することができる。
【００１１】
また、画像形成管理装置において、媒体情報受信手段は、用紙のサイズ情報又は種類情報の指定を受け付ける直前に、媒体情報を複数の画像形成装置から取得するようにしてもよい。
かかる構成によると、各画像形成装置に用意されている画像形成媒体の情報を迅速且つ適切に反映させることができる。
【００１２】
また、画像データを送信した画像形成装置を示す情報を表示する装置情報表示手段を更に有するようにしてもよい。
かかる構成によると、ユーザは、画像が形成される画像形成装置を適切に把握することができる。
【００１３】
また、上記目的達成のため、本発明の一実施形態に係る画像形成システムは、画像データに基づいて画像を画像形成媒体に形成する複数の画像形成装置と、画像データを画像形成装置に送信する画像形成管理装置とを有する画像形成システムであって、各画像形成装置は、当該画像形成装置において、画像形成可能に用意されている画像形成媒体のサイズ情報と種類情報とを対応付けた媒体情報を記憶する自己媒体情報記憶手段と、媒体情報を画像形成管理装置に送信する送信手段と、受信した画像データに基づいて画像形成媒体に画像を形成する画像形成手段とを有し、画像形成管理装置は、複数の画像形成装置において画像形成可能に用意されている画像形成媒体のサイズ情報と画像形成媒体の種類情報とが対応付けられた媒体情報を記憶する媒体情報記憶手段と、媒体情報記憶手段に記憶されているサイズ情報と種類情報との組合せに対応するサイズ情報及び種類情報を選択可能に表示して、ユーザから選択指定を受け付ける媒体指定受付手段と、受け付けたサイズ情報及び種類情報が示す画像形成媒体が用意されている画像形成装置に対して、画像を形成させる画像データを送信する画像データ送信手段と、を有する。
【００１４】
かかる構成によると、画像形成装置に用意されている画像形成媒体のサイズ及び種類の中からユーザが所望するサイズ及び種類の画像形成媒体を容易に選択することができ、当該画像形成媒体が用意されている画像形成装置に画像データを送信することができる。これによって、当該画像形成装置において、ユーザの所望するサイズ及び種類の画像形成媒体に画像を形成させることができる。
【００１５】
画像形成システムにおいて、送信手段は、媒体情報が変更される際に、画像形成管理装置に、媒体情報を送信するようにしてもよい。
かかる構成によると、画像形成装置に用意された画像形成媒体が変わった場合に迅速に画像形成管理装置へ反映させることができる。
【００１６】
また、上記目的達成のため、本発明の一実施形態に係る画像形成管理方法は、画像形成させる画像データを画像形成装置に送信する画像形成管理装置による画像形成管理方法であって、画像形成管理装置は、複数の画像形成装置において画像形成可能に用意されている画像形成媒体のサイズ情報と画像形成媒体の種類情報とが対応付けられた媒体情報を媒体情報記憶手段に記憶しており、媒体情報記憶手段に記憶されているサイズ情報と種類情報との組合せに対応するサイズ情報及び種類情報を画像を形成させる画像形成媒体の指定としてユーザから受け付ける媒体指定受付ステップと、受け付けたサイズ情報及び種類情報が示す画像形成媒体が用意されている画像形成装置に対して、画像を形成させる画像データを送信する画像データ送信ステップと、を有する。
【００１７】
かかる方法によると、画像形成装置に用意されている画像形成媒体のサイズ及び種類の中からユーザが所望するサイズ及び種類の画像形成媒体を容易に選択することができ、当該画像形成媒体が用意されている画像形成装置に画像データを送信することができる。これによって、当該画像形成装置において、ユーザの所望するサイズ及び種類の画像形成媒体に画像を形成させることができる。
【００１８】
また、上記目的達成のため、本発明の一実施形態に係る画像形成管理プログラムは、画像形成させる画像データを画像形成装置に送信する画像形成管理装置を構成するコンピュータに実行させるための画像形成管理プログラムであって、コンピュータには、複数の画像形成装置において画像形成可能に用意されている画像形成媒体のサイズ情報と画像形成媒体の種類情報とが対応付けられた媒体情報を記憶する媒体情報記憶手段が備えられ、コンピュータを、媒体情報記憶手段に記憶されているサイズ情報と種類情報との組合せに対応するサイズ情報及び種類情報を画像を形成させる画像形成媒体の指定としてユーザから受け付ける媒体指定受付手段と、受け付けたサイズ情報及び種類情報が示す画像形成媒体が用意されている画像形成装置に対して、画像を形成させる画像データを送信する画像データ送信手段として機能させる。
【００１９】
かかるプログラムをコンピュータにより実行することにより、画像形成装置に用意されている画像形成媒体のサイズ及び種類の中からユーザが所望するサイズ及び種類の画像形成媒体を容易に選択することができ、当該画像形成媒体が用意されている画像形成装置に画像データを送信することができる。これによって、当該画像形成装置において、ユーザの所望するサイズ及び種類の画像形成媒体に画像を形成させることができる。
【発明を実施するための最良の形態】
【００２０】
本発明の実施形態について、図面を参照して説明する。なお、以下に説明する実施形態は特許請求の範囲にかかる発明を限定するものではなく、また実施形態の中で説明されている特徴の組み合わせの全てが発明の解決手段に必須であるとは限らない。
【００２１】
本発明の一実施形態に係る画像形成システム１の構成について説明する。
図１は、本発明の一実施形態に係る画像形成システムの構成を示す図である。
画像形成システム１は、例えば、ＰＣ（Personal Computer）等によって構成された画像形成管理装置２と、画像形成装置の一例としての複数の複合機３Ａ、３Ｂ、３Ｃとを有する。画像形成管理装置２と、複合機３Ａ、３Ｂ、３Ｃとは、例えば、ＬＡＮ（Local Area Network）等のネットワーク４を介してデータ通信可能に接続されている。
【００２２】
図２は、本発明の一実施形態に係る画像形成管理装置の構成を示す図である。
画像形成管理装置２は、装置本体１０と、表示装置１１と、入力装置１２とを有する。
表示装置１１は、例えば、液晶ディスプレイや、ＣＲＴディスプレイ等の画像を表示する装置である。入力装置１２は、例えば、マウス、キーボード等のホスト装置２のユーザからの入力を受け付けるための装置である。装置本体１０において、ＣＰＵ（Central Processing Unit）１３と、ＲＯＭ（Read Only Memory）１４と、ＲＡＭ（Random Access Memory）１５と、ハードディスクドライブ１６と、表示処理部１７と、入力インターフェース１８と、コンボドライブ１９と、通信インターフェース２０とがバス２１を介して接続されている。
【００２３】
ＲＯＭ１４は、ブートプログラム等の基本プログラムを記憶する。
ＲＡＭ１５は、プログラムやデータを記憶する領域として、或いは、ＣＰＵ１３による処理に使用しているデータを格納する作業領域として利用される。本実施形態では、ＲＡＭ１５は、媒体情報記憶手段の一例であり、複数の複合機において画像形成可能に用意されている画像形成媒体のサイズと種類とが対応付けられた媒体情報を格納した媒体情報テーブルを記憶する。ここで、画像形成媒体とは、画像を形成させる対象物であり、例えば、紙、ＯＨＰシート、厚紙、封筒等がある。なお、本明細書においては、画像形成媒体を用紙ともいうこととする。また、用紙のサイズ（用紙サイズ）には、例えば、Ａ３、Ａ４、Ａ５、Ｂ３、Ｂ４、Ｂ５、レター等があり、用紙の種類（用紙種類）としては、普通紙、再生紙、厚紙、ＯＨＰシート、封筒等がある。
【００２４】
図３は、本発明の一実施形態に係る媒体情報テーブルを説明する図である。
媒体情報テーブルは、複合機アドレスフィールド１５ａと、複合機名フィールド１５ｂと、給紙装置名フィールド１５ｃと、用紙サイズフィールド１５ｄと、用紙種類フィールド１５ｅとを有するレコードを複数管理するようになっている。
複合機アドレスフィールド１５ａは、ネットワーク４を介して接続されている複合機３Ａ、３Ｂ、３Ｃ等の複合機のアドレスを格納する。複合機名フィールド１５ｂは、対応するレコードが示す複合機の名称（複合機名）を格納する。給紙装置名フィールド１５ｃは、複合機における給紙装置名を格納する。用紙サイズフィールド１５ｄは、対応する給紙装置に用意されている用紙サイズを格納する。用紙種類フィールド１５ｅは、対応する給紙装置に用意されている用紙種類を格納する。
【００２５】
例えば、一番上のレコードは、”１９２．１６８．１．１”のアドレスの複合機は、複合機名が”複合機Ａ”であり、”トレイ１”には、”Ａ４”の”普通紙”が用意されていることを示している。なお、本実施形態では、複合機３Ａの複合機名が複合機Ａであり、複合機３Ｂ、複合機３Ｃの複合機名は、複合機Ｂ、複合機Ｃであるものとする。なお、複合機名としては、ユーザが該当する複合機を認識することのできる名称であることが好ましい。
【００２６】
図２に戻り、表示処理部１７は、ＣＰＵ１３の制御により、表示装置１１に画像を表示させるための表示用データを生成し、表示装置１１に出力する。
コンボドライブ１９は、複数種類の記録媒体２２からのデータ、プログラムの読み込み、記録媒体２２へのデータ等の書き込みを行う。記録媒体２２としては、例えば、ＣＤ−ＲＯＭ、ＤＶＤ−ＲＯＭ、ＤＶＤ−ＲＡＭ等がある。
ハードディスクドライブ１６は、ＯＳ（オペレーティングシステム）や、各種プログラムや、各種データベースを読み出し可能に記憶する。本実施形態では、ハードディスクドライブ１６は、文書の編集、印刷等の処理を実行するためのアプリケーションプログラム、複合機３Ａ、３Ｂ、３Ｃ等による印刷の管理制御するためのプリンタドライバプログラム、アプリケーションプログラムにより利用される文書データ等を記憶する。
入力インターフェース１８は、入力装置１２と接続可能であり、入力装置１２からの信号をデータとして、ＣＰＵ１３、ＲＡＭ１５に渡す。
通信インターフェース２０は、外部の装置とのデータのやりとりの仲介を行う。
【００２７】
ＣＰＵ１３は、ＲＯＭ１４の基本プログラムやハードディスクドライブ１６に格納されているＯＳやプログラムをＲＡＭ１５に読み出して実行することにより各種処理を実行する。また、ＣＰＵ１３は、各部１４〜２０の動作を制御する。
【００２８】
本実施形態では、ＣＰＵ１３が、ハードディスクドライブ１６に格納されたアプリケーションプログラム及びプリンタドライバプログラムを実行することにより、アプリケーション部１３ａと、第１指定受付手段及び第２指定受付手段の一例としての指定受付処理部１３ｂと、候補表示手段、検出手段、検出情報表示手段、及び装置情報表示手段の一例としての表示制御部１３ｃと、媒体情報受信手段及び媒体情報格納手段の一例としての用紙情報通信部１３ｅと、画像データ送信手段の一例としての送信処理部１３ｄとが構成される。なお、媒体指定受付手段は、指定受付処理部１３ｂ及び表示制御部１３ｃにより構成される。
アプリケーション部１３ａは、アプリケーションにおける各種処理を実行する。本実施形態では、アプリケーションウインドウ５０（図４参照）を表示させるとともに、ユーザの入力装置１２を利用してのアプリケーションウインドウ５０に対する操作に応じて、文書の呼出し、編集等の処理、文書の印刷受付に関する処理、印刷設定の受付に関する処理等を実行する。
【００２９】
図４は、本発明の一実施形態に係るアプリケーションウインドウを説明する図である。
アプリケーションウインドウ５０には、ファイルボタン５１と、編集ボタン５２と、印刷設定ボタン５３と、印刷ボタン５４と、文書表示領域５５とが表示される。
【００３０】
文書表示領域５５は、アプリケーションにおいて編集する文書が表示される領域である。ファイルボタン５１は、文書表示領域５５に呼び出す文書のデータ（文書データ）を指定したり、文書表示領域５５に表示された文書のデータの保存を指定したりする指示を受け付けるボタンである。編集ボタン５２は、文書表示領域５５に表示された文書の編集に関する指示を受け付けるボタンである。印刷設定ボタン５３は、出力させる際の用紙のサイズ及び用紙の種類についての印刷設定の指示を受け付けるボタンである。印刷ボタン５４は、文書表示領域５５において編集されている文書の画像を印刷する指示を受け付けるボタンである。
【００３１】
ポインタ５６は、入力装置１２の一例であるマウスに対するユーザの操作により、ウインドウ上を移動可能であり、ウインドウ上の所定の位置を指し示すものである。なお、ポインタ５６は、アプリケーションウインドウ５０の範囲を超えても移動可能である。マウスによってポインタ５６を移動させて、マウスに設けられたボタンをユーザが押下する（いわゆるクリックする）ことにより、アプリケーション部１３ａは、当該ポインタ５６が示す対象に対する指示入力を受け付ける。アプリケーションウインドウ５０においては、アプリケーション部１３ａはウインドウの各種ボタン５１〜５４の押下や、文書表示領域５５における位置の指示入力を受け付ける。
【００３２】
図２に戻り、表示制御部１３ｃは、アプリケーション部１３ａ、指定受付処理部１３ｂ、及び送信処理部１３ｄからの通知に応じて、各種ウインドウを表示させる。本実施形態では、表示制御部１３ｃは、印刷設定ウインドウ６０（図５（１）参照）、種類設定ウインドウ７０（図５（２）参照）、サイズ設定ウインドウ８０（図５（３）参照）、出力確認ウインドウ９０（図５（４）参照）を表示させる。
【００３３】
指定受付処理部１３ｂは、ユーザの入力装置１２を利用しての各種ウインドウに対する操作に応じて各種指定を受け付け、表示制御部１３ｃに通知する。本実施形態では、指定受付処理部１３ｂは、印刷設定ウインドウ６０に対する操作に応じて、用紙サイズ又は用紙種類の一方に対する選択指定を受け付け、種類設定ウインドウ７０に対する操作に応じて、用紙種類の選択指定を受け付け、サイズ設定ウインドウ８０に対する操作に応じて、用紙サイズの選択指定を受け付ける。指定受付処理部１３ｂは、用紙サイズ又は用紙種類の選択指定を受け付けた場合には、その指定をＲＡＭ１５に記憶させ、用紙サイズ及び用紙種類を確定させる指示を受け付けた場合には、当該用紙サイズ及び用紙種類を印刷時の設定としてＲＡＭ１５に反映させる。
【００３４】
図５は、本発明の一実施形態に係る複数のウインドウを説明する図である。
図５（１）は、印刷設定ウインドウ６０を示し、図５（２）は、種類設定ウインドウ７０を示し、図５（３）は、サイズ設定ウインドウ８０を示し、図５（４）は、出力確認ウインドウ９０を示している。
図５（１）に示す印刷設定ウインドウ６０は、表示制御部１３ｃがアプリケーション部１３ａから印刷設定指示の通知を受け付けた場合に表示させるウインドウである。
印刷設定ウインドウ６０には、用紙サイズ選択領域６１と、用紙種類選択領域６２と、ＯＫボタン６３と、キャンセルボタン６４とが表示される。
【００３５】
用紙サイズ選択領域６１は、画像を印刷させる用紙のサイズの選択を受け付ける領域であり、例えば、Ａ３、Ａ４、Ａ５等の選択候補となる用紙サイズ名を表示する用紙サイズ表示部分６１ａと、当該用紙サイズ表示部分６１ａの用紙サイズの選択指定を受け付けるための用紙サイズ用ラジオボタン６１ｂとの組が表示される。
用紙種類選択領域６２は、画像を形成させる用紙の種類の選択を受け付ける領域であり、例えば、普通紙、ＯＨＰシート、再生紙、封筒等の選択候補の種類名を表示する用紙種類表示部分６２ａと、当該用紙種類表示部分６２ａの用紙種類の選択指定を受け付けるための用紙種類用ラジオボタン６２ｂとの組が表示される。
【００３６】
本実施形態においては、表示制御部１３ｃは、用紙サイズ選択領域６１に表示される選択候補となる用紙サイズ名と、用紙種類選択領域６２に表示される選択候補となる用紙種類名として、媒体情報テーブルに格納されている用紙サイズ名及び用紙種類名を表示するようにしている。このため、表示された用紙サイズ、用紙種類の用紙がいずれかの複合機に存在していることとなり、ユーザは迅速に印刷が可能な用紙の選択を容易に行うことができる。
本実施形態では、印刷設定ウインドウ６０においては、用紙サイズ用ラジオボタン６１ｂと、用紙種類用ラジオボタン６２ｂとの中のいずれかひとつのラジオボタンについて選択指定することができるようになっている。
【００３７】
ＯＫボタン６３は、印刷設定ウインドウ６０において選択指定した用紙サイズ又は用紙種類についての選択指定の確定を受け付けるボタンである。このＯＫボタン６３が押下されることにより、指定受付処理部１３ｂが印刷設定ウインドウ６０において選択された用紙サイズ又は用紙種類を表示制御部１３ｃに通知する。
キャンセルボタン６４は、印刷設定ウインドウ６０における選択指定を終了させる指示を受け付けるボタンである。キャンセルボタン６４が押下されると、表示制御部１３ｃにより印刷設定ウインドウ６０が閉じられる。
【００３８】
印刷設定ウインドウ６０においては、マウスによってポインタ５６を移動させて、マウスに設けられたボタンをユーザがクリックすることにより、指定受付処理部１３ｂは、ラジオボックス６１ｂ、６２ｂへの選択指定や、各種ボタン６３、６４のボタンの押下を受け付ける。
【００３９】
図５（２）に示す種類設定ウインドウ７０は、表示制御部１３ｃが指定受付処理部１３ｂから印刷設定ウインドウ６０において選択された用紙サイズの通知を受け付けた場合に表示させるウインドウである。
種類設定ウインドウ７０には、用紙サイズ表示領域７１と、用紙種類選択領域７２と、ＯＫボタン７３と、キャンセルボタン７４とが表示される。
【００４０】
用紙サイズ表示領域７１は、ユーザによって選択指定された用紙サイズを表示する領域であり、例えば、”Ａ４”が表示される。
用紙種類選択領域７２は、画像を形成させる用紙の種類の選択を受け付ける領域であり、例えば、普通紙、ＯＨＰシート、再生紙等の選択候補の種類名を表示する用紙種類表示部分７２ａと、当該用紙種類表示部分７２ａの用紙種類の選択指定を受け付けるための用紙種類用ラジオボタン７２ｂとの組が表示されている。
【００４１】
本実施形態においては、表示制御部１３ｃは、媒体情報テーブルにおいて、指定受付処理部１３ｂから通知された用紙サイズに対応付けられている用紙種類を検出し、検出した用紙種類を用紙種類選択領域７２の選択候補として表示するようにしている。このため、表示された用紙サイズであって、選択候補として表示されている用紙種類の用紙がいずれかの複合機に存在していることとなり、ユーザは迅速に印刷が可能な用紙の選択を容易に行うことができる。
【００４２】
ＯＫボタン７３は、種類設定ウインドウ７０において選択指定した用紙種類についての選択指定の確定を受け付けるボタンである。このＯＫボタン７３が押下されることにより、指定受付処理部１３ｂが既に指定されている用紙サイズと、当該種類設定ウインドウ７０において選択指定されている用紙種類とを、印刷時に参照される用紙サイズ及び用紙種類の設定としてＲＡＭ１５に記憶させる。これにより、印刷を行う際には、ＲＡＭ１５に記憶された用紙サイズ及び用紙種類とが参照されることとなる。
キャンセルボタン７４は、種類設定ウインドウ７０における選択指定を終了させる指示を受け付けるボタンである。キャンセルボタン７４が押下されると、表示制御部１３ｃにより種類設定ウインドウ７０が閉じられる。
【００４３】
種類設定ウインドウ７０においては、マウスによってポインタ５６を移動させて、マウスに設けられたボタンをユーザがクリックすることにより、指定受付処理部１３ｂは、ラジオボックス７２ｂへの選択指定や、各種ボタン７３、７４のボタンの押下を受け付ける。
【００４４】
図５（３）に示すサイズ設定ウインドウ８０は、表示制御部１３ｃが指定受付処理部１３ｂから印刷設定ウインドウ６０において選択された用紙種類の通知を受け付けた場合に表示させるウインドウである。
サイズ設定ウインドウ８０には、用紙サイズ選択領域８１と、用紙種類表示領域８２と、ＯＫボタン８３と、キャンセルボタン８４とが表示される。
【００４５】
用紙サイズ選択領域８１は、画像を形成させる用紙のサイズの選択を受け付ける領域であり、例えば、Ａ４、Ａ５、Ｂ５等の選択候補のサイズ名を表示する用紙サイズ表示部分８１ａと、当該用紙サイズ表示部分８１ａの用紙サイズの選択指定を受け付けるための用紙サイズ用ラジオボタン８１ｂとの組が表示されている。
用紙種類表示領域８２は、ユーザによって選択指定された用紙種類を表示する領域であり、例えば、”ＯＨＰシート”が表示される。
【００４６】
本実施形態においては、表示制御部１３ｃは、媒体情報テーブルにおいて、指定受付処理部１３ｂから通知された用紙種類に対応付けられている用紙サイズを検出し、検出した用紙サイズを用紙サイズ選択領域８１の選択候補として表示するようにしている。このため、表示された用紙種類であって、選択候補として表示されている用紙サイズの用紙がいずれかの複合機に存在していることとなり、ユーザは迅速に印刷が可能な用紙の選択を容易に行うことができる。
【００４７】
ＯＫボタン８３は、サイズ設定ウインドウ８０において選択指定した用紙サイズについての選択指定の確定を受け付けるボタンである。このＯＫボタン８３が押下されることにより、指定受付処理部１３ｂが既に指定されている用紙種類と、当該サイズ設定ウインドウ８０において選択指定されている用紙サイズとを、印刷時に参照される用紙サイズ及び用紙種類の設定としてＲＡＭ１５に記憶させる。これにより、印刷を行う際には、ＲＡＭ１５に記憶された用紙サイズ及び用紙種類とが参照されることとなる。
キャンセルボタン８４は、サイズ設定ウインドウ８０における選択指定を終了させる指示を受け付けるボタンである。キャンセルボタン８４が押下されると、表示制御部１３ｃによりサイズ設定ウインドウ８０が閉じられる。
【００４８】
サイズ設定ウインドウ８０においては、マウスによってポインタ５６を移動させて、マウスに設けられたボタンをユーザがクリックすることにより、指定受付処理部１３ｂは、ラジオボックス８１ｂへの選択指定や、各種ボタン８３、８４のボタンの押下を受け付ける。
【００４９】
図５（４）に示す出力確認ウインドウ９０は、表示制御部１３ｃが送信処理部１３ｄから複合機名と、用紙サイズ及び用紙種類との通知を受け付けた場合に表示させるウインドウである。
出力確認ウインドウ９０には、出力内容表示領域９１と、確認ボタン９２とが表示される。
出力内容表示領域９１は、出力内容を表示させる領域であり、例えば、用紙サイズ、用紙種類、出力先の複合機名が表示される。同図においては、”Ａ４”の”ＯＨＰシート”が”複合機Ａ”から出力されることを示している。したがって、ユーザは、印刷指示による印刷物が出力される複合機を適切に把握することができる。
確認ボタン９２は、出力内容の確認を受け付けるボタンである。確認ボタン９２が押下されると、表示制御部１３ｃにより出力確認ウインドウ９０が閉じられる。
出力確認ウインドウ９０においては、マウスによってポインタ５６を移動させて、マウスに設けられたボタンをユーザがクリックすることにより、指定受付処理部１３ｂは、確認ボタン９２のボタンの押下を受け付ける。
【００５０】
図２に戻り、送信処理部１３ｄは、アプリケーション部１３ａからの印刷指示に基づいて、アプリケーション部１３ａにより利用されている文書データを印刷データに変換して、印刷設定として設定されている用紙サイズ及び用紙種類が用意されている複合機に送信する。本実施形態では、送信処理部１３ｄは、印刷指示を受け付けると、印刷設定としてＲＡＭ１５に記憶されている用紙サイズ及び用紙種類を取り出し、媒体情報テーブルから当該用紙サイズ及び用紙種類に対応付けられているレコードを検出し、当該レコードに格納されている複合機のアドレスを特定し、当該アドレスを用いて複合機に印刷データを送信するとともに、当該レコードの複合機名と、印刷設定の用紙サイズ及び用紙種類とを表示制御部１３ｃに通知する。なお、用紙サイズ及び用紙種類を備えた画像形成装置が複数ある場合には、いずれの画像形成装置により印刷させるかを任意に決定してもよく、予め画像形成装置間での優先順位を決めておき、その優先順位にしたがって決定するようにしてもよい。
【００５１】
図６は、本発明の一実施形態に係る印刷データを説明する図である。
印刷データ２３は、送信処理部１３ｄにより生成されるデータであって、印刷データ２３の開始を示すジョブスタート部（ＪＳ部）２３ａと、ジョブ言語データ部２３ｂと、プリンタ言語データ部２３ｃと、印刷データ２３の終了を示すジョブエンド部（ＪＥ部）２３ｄとを有する。
ジョブ言語データ部２３ｂは、ジョブ言語に従って記述される部分であり、画像形成管理装置名、ジョブ番号、プリンタ言語データ部２３ｃにおいて記述するプリンタ言語（例えば、ＥＳＣ／ＰＡＧＥ、ＰｏｓｔＳｃｒｉｐｔ等）を示すコマンド等が含まれる。本実施形態においては、印刷させる用紙のサイズ及び種類、給紙させる給紙装置名等が含まれている。
プリンタ言語データ部２３ｃは、プリンタ言語に従って記述される部分であり、印刷する画像内容を示す印刷用の画像データが含まれる。この印刷用の画像データは、例えば、アプリケーションの文書データを当該印刷データの送信先となる複合機で認識可能なプリンタ言語に従った形式に変換することにより得られる。
【００５２】
図２に戻り、用紙情報通信部１３ｅは、例えば、複合機３Ａ、３Ｂ、３Ｃ等から各複合機の各給紙装置に用意されている用紙のサイズ及び種類を含む媒体情報（用紙情報）を受信して、媒体情報テーブルに格納する。本実施形態においては、用紙情報通信部１３ｅは、各複合機からアドレス、複合機名、給紙装置名、用紙サイズ、用紙種類を受信して、媒体情報テーブルに格納する。
また、本実施形態では、用紙情報通信部１３ｅは、アプリケーション部１３ａから印刷設定指示の通知を受け付けた場合、すなわち用紙の種類やサイズの選択をユーザから受け付ける直前に、ネットワーク４を介して接続されている複合機３Ａ、３Ｂ、３Ｃ等に対して用紙情報を送信させる要求（用紙情報要求）を送信するようにしている。なお、用紙情報要求を送信する複合機としては、ネットワークに接続された全ての複合機を検索してこれらに送信するようにしてもよく、或いは予め設定されている複合機のみに送信するようにしてもよく、或いはネットワーク上の所定の範囲に存在する複合機のみに送信するようにしてもよい。
【００５３】
図７は、本発明の一実施形態に係る複合機の構成を示す図である。なお、複合機３Ａ、３Ｂ、３Ｃは、同様な構成をしているので、ここでは、複合機３Ａを中心に説明することとする。
複合機３Ａは、制御ユニット３１と、スキャナ機能部３２と、画像形成手段の一例としてのプリンタ機能部３３と、ファクシミリ機能部（ＦＡＸ機能部）３４とを有する。
【００５４】
スキャナ機能部３２は、原稿台（図示せず）又は、原稿フィーダ（図示せず）に載置された紙、フィルム等の読取対象物の画像を読み取ってデジタル画像データを生成する。
【００５５】
プリンタ機能部３３は、画像を用紙に形成する。本実施形態においては、プリンタ機能部３３は、給紙装置としての給紙トレイ（図示せず）を有している。本実施形態では、給紙トレイを複数（例えば、４つ）有しており、それぞれのトレイに用紙を収容することができるようになっている。
ＦＡＸ機能部３４は、電話回線網を介してファックスデータを送受信する。
【００５６】
制御ユニット３１は、スキャナ機能部３２、プリンタ機能部３３、及びＦＡＸ機能部３４に対して、ユーザから各種指示を受け付けるとともに、各種情報の出力を行う。
また、制御ユニット３１は、スキャナ機能部３２、プリンタ機能部３３、及びＦＡＸ機能部３４の制御を行う。具体的には、制御ユニット３１は、スキャナ機能部３２にスキャナ用の設定情報を送信して、読取動作を実行させる。また、制御ユニット３１は、プリンタ機能部３３にプリンタ用設定情報を送信して、記録動作を実行させる。また、制御ユニット３１は、ＦＡＸ機能部３４にファクシミリ用の設定情報を送信してファクシミリ送信動作を実行させる。
【００５７】
また、制御ユニット３１は、スキャナ機能部３２及びプリンタ機能部３３とを制御することにより、読取対象物の内容を記録対象物に記録する、いわゆる、コピー機能を実行させる。すなわち、制御ユニット３１は、読取対象物をスキャナ機能部３２により読み取らせてデジタル画像データを生成させ、そのデジタル画像データをプリンタ機能部３３に送信して記録対象物に記録させる。
【００５８】
また、制御ユニット３１は、スキャナ機能部３２及びＦＡＸ機能部３４とを制御することにより、電話回線網を介して読取対象物の内容を送信する、いわゆる、ファクシミリ機能を実行させる。すなわち、制御ユニット３１は、読取対象物をスキャナ機能部３２により読み取らせてデジタル画像データを生成させ、そのデジタル画像データをファクシミリデータへと変換し、そのファクシミリデータをＦＡＸ機能部３４に電話回線網を介して送信先へ送信させる。
また、制御ユニット３１は、ネットワーク４を介して受信した印刷データに基づいてプリンタ機能部３３に所定の用紙への画像形成を実行させる。
【００５９】
次に、制御ユニット３１のより詳細な構成について説明する。
制御ユニット３１において、ＣＰＵ３５と、ＲＯＭ３６と、ＲＡＭ３７と、自己媒体情報記憶手段の一例としてのＥＥＰＲＯＭ（Electrically Erasable Programmable Read-Only Memory）３８と、入力インターフェース（入力Ｉ／Ｆ）３９と、表示処理部４０と、通信インターフェース（通信Ｉ／Ｆ）４１、４２、４３、及び４４とがバス４５を介して接続されている。
【００６０】
ＲＯＭ３６は、ブートプログラム等のプログラムを記憶する。
ＲＡＭ３７は、プログラムやデータを記憶する領域として、或いは、ＣＰＵ３５による処理に使用しているデータを格納する作業領域として利用される。
ＥＥＰＲＯＭ３８は、書き換え可能な不揮発性メモリであり、複合機３の電源が入っていない場合でも記憶しておく必要がある各種情報を記憶する。本実施形態では、ＥＥＰＲＯＭ３８は、例えば、複合機３Ａのアドレスや複合機名等の複合機情報を記憶している。また、ＥＥＰＲＯＭ３８は、当該複合機３Ａのプリンタ機能部３３が有するトレイに格納されている用紙サイズ及び用紙種類を含む用紙情報を記憶している。
【００６１】
図８は、本発明の一実施形態に係る複合機が記憶する各種情報を説明する図である。
図８（１）は、各複合機３Ａ、３Ｂ、３ＣのＥＥＰＲＯＭ３８に記憶されている複合機情報を示しており、（ａ）は、複合機３Ａにおける複合機情報を示し、（ｂ）は、複合機３Ｂにおける複合機情報を示し、（ｃ）は、複合機３Ｃにおける複合機情報を示す。
また、図８（２）は、各複合機３Ａ、３Ｂ、３ＣのＥＥＰＲＯＭ３８に記憶されている用紙情報を示しており、（ａ）は、複合機３Ａにおける用紙情報を示し、（ｂ）は、複合機３Ｂにおける用紙情報を示し、（ｃ）は、複合機３Ｃにおける用紙情報を示す。
【００６２】
図８（１）に示すように、各複合機３Ａ、３Ｂ、３ＣのＥＥＰＲＯＭ３８には、複合機情報として、複合機アドレス３８ａと複合機名３８ｂとが格納されている。例えば、図８（１）（ａ）に示すように、複合機３Ａの複合機情報として、”１９２．１６８．１．１”のアドレスが格納され、複合機名として”複合機Ａ”が格納されている。
【００６３】
また、図８（２）に示すように、各複合機３Ａ、３Ｂ、３ＣのＥＥＰＲＯＭ３８には、用紙情報として、給紙装置名フィールド３８ｃと、用紙サイズフィールド３８ｄと、用紙種類フィールド３８ｅとを有するレコードが、例えば、給紙装置の数分格納されている。
給紙装置名フィールド３８ｃは、給紙装置名を格納する。用紙サイズフィールド３８ｄは、対応するレコードが示す給紙装置に格納されている用紙サイズ名を格納する。用紙種類フィールド３８ｅは、対応するレコードが示す給紙装置に格納されている用紙の種類名を格納する。
例えば、図８（２）（ａ）に示すように、複合機３Ａの用紙情報によると、”トレイ１”には、”Ａ４”の”普通紙”が用意され、”トレイ２”には、”Ａ４”の”ＯＨＰシート”が用意され、”トレイ３”には、”Ｂ５”の”再生紙”が用意され、”トレイ４”には、”Ｂ４”の”普通紙”が用意されていることが把握できる。
【００６４】
図７に戻り、入力Ｉ／Ｆ３９には、キー部４６と、タッチパネル４７とが接続されている。入力Ｉ／Ｆ３９は、キー部４６、タッチパネル４７からの信号をデータとして、ＣＰＵ３５に出力する。
キー部４６は、制御ユニット３１の筐体（図示せず）に設けられた、スタートボタン、ストップボタン、テンキー等を有し、押下されたボタン、キーに応じた信号を入力Ｉ／Ｆ３９に出力する。
タッチパネル４７は、後述するＬＣＤ４８上に重ねられて設けられ、ユーザによって押下されたパネルの位置に応じた信号を入力Ｉ／Ｆ３９に出力する。
表示処理部４０は、例えば、ＶＲＡＭ（Video Random Access Memory）を有し、ＣＰＵ３５の制御により、各種画像データを生成し、液晶表示装置（ＬＣＤ）４８に表示出力する。
【００６５】
通信Ｉ／Ｆ４１は、ＣＰＵ３５とスキャナ機能部３２とのデータ交換の仲介を行う。
通信Ｉ／Ｆ４２は、ＣＰＵ３５とプリンタ機能部３３とのデータ交換の仲介を行う。
通信Ｉ／Ｆ４３は、ＣＰＵ３５とＦＡＸ機能部３４とのデータ交換の仲介を行う。
通信Ｉ／Ｆ４４は、ネットワーク４と接続されており、ネットワーク４を介して外部の装置とのデータ交換の仲介を行う。本実施形態では、通信Ｉ／Ｆ４４は、ネットワーク４を介して画像形成管理装置２との間のデータ交換の仲介を行う。
【００６６】
ＣＰＵ３５は、各部３６〜４４の動作を制御する。また、ＣＰＵ３５は、ＲＯＭ３６に格納されているプログラムをＲＡＭ３７に読み出して実行することにより、設定受付処理部３５ａ、送信手段の一例としての送信処理部３５ｂ、及び機能管理部３５ｃを構成して各種処理を実行する。
設定受付処理部３５ａは、キー部４６又はタッチパネル４７に対するユーザの操作に基づいて、プリンタ機能部３３の各トレイに格納されている用紙のサイズ及び種類の設定を受け付け、当該設定内容をＥＥＰＲＯＭ３８に用紙情報として格納する。
【００６７】
送信処理部３５ｂは、ＥＥＰＲＯＭ３８に記憶されている複合機情報及び用紙情報に基づいて、用紙情報と、複合機のアドレス及び複合機名とをネットワーク４を介して画像形成管理装置２に送信する。本実施形態では、送信処理部３５ｂは、画像形成管理装置２から用紙情報要求を受信した場合に用紙情報と、複合機のアドレス及び複合機名とを送信するようにしている。
機能管理部３５ｃは、通信Ｉ／Ｆ４４を介して印刷データを受信した場合には、当該印刷データに基づいて、プリンタ機能部３３により印刷データに含まれているサイズ及び種類の用紙に対して画像を形成させる。
【００６８】
次に、本発明の一実施形態に係る複合機３Ａ等による処理について説明する。
図９は、本発明の一実施形態に係る複合機による処理のフローチャートである。なお、複合機３Ａについて説明するが、他の複合機３Ｂ等においても同様な処理が実行される。
複合機３Ａにおいて、設定受付処理部３５ａがタッチパネル４７に対するユーザの操作により、用紙設定の指示があるか否かを判定し（ステップＳ１）、用紙設定の指示がある場合には、トレイ名、当該トレイに収容する用紙のサイズ及び種類を含む用紙情報の入力を受け付け（ステップＳ２）、受け付けた用紙情報をＥＥＰＲＯＭ３８に記憶させる（ステップＳ３）。一方、用紙設定の指示がない場合には、何もせずにステップＳ４に進む。
【００６９】
次いで、送信処理部３５ｂがネットワーク４、通信Ｉ／Ｆ４４を介して、画像形成管理装置２から用紙情報要求を受信したか否かを判定し（ステップＳ４）、用紙情報要求があった場合には、ＥＥＰＲＯＭ３８から用紙情報と、複合機のアドレス及び複合機名とを取得して、ネットワーク４を介して画像形成管理装置２に送信する（ステップＳ５）。一方、用紙情報要求がない場合には、何もせずにステップＳ６に進む。
【００７０】
次いで、機能管理部３５ｃが、通信Ｉ／Ｆ４４を介してネットワーク４から印刷データを受信したか否かを判定し（ステップＳ６）、印刷データを受信した場合には、当該印刷データに基づいて、プリンタ機能部３３により印刷データに含まれているサイズ及び種類の用紙に対して画像を形成させる処理を開始させる（ステップＳ７）。一方、印刷データを受信していない場合には、何もせずにステップＳ８に進む。
次いで、機能管理部３５ｃが複合機における処理を終了する指示があるか否かを判定し、終了指示がある場合には処理を終了する一方、指示がない場合には、上記処理（ステップＳ１〜Ｓ８）を繰り返し実行する。
【００７１】
次に、本発明の一実施形態に係る画像形成管理装置における動作について説明する。
図１０は、本発明の一実施形態に係る画像形成管理装置における印刷処理のフローチャートである。なお、この処理の前において、アプリケーションプログラムが実行されて、アプリケーション部１３ａが図４に示すアプリケーションウインドウ５０を表示させているものとする。
【００７２】
まず、アプリケーションウインドウ５０の文書表示領域５５の文書に対して、ユーザによる入力装置１２の操作により編集操作があるか否かをアプリケーション部１３ａが判定する（ステップＳ１０）。この結果、編集操作があった場合には、アプリケーション部１３ａが指示された編集操作により文書の編集を行う（ステップＳ１１）。一方、編集操作がない場合には、次の処理に進む。
【００７３】
次いで、ユーザによる入力装置１２の操作により印刷設定ボタン５３が押下されたか否かをアプリケーション部１３ａが判定する（ステップＳ１２）。この結果、印刷設定ボタン５３が押下されたと判定した場合には、アプリケーション部１３ａが表示制御部１３ｃ、及び用紙情報通信部１３ｅに印刷設定指示があった通知を行うことにより、印刷設定処理を実行させる（ステップＳ１３）。一方、押下されていない場合には、次のステップにすすむ。
【００７４】
次いで、ユーザによる入力装置１２の操作により印刷ボタン５４が押下されたか否かをアプリケーション部１３ａが判定する（ステップＳ１４）。この結果、印刷ボタン５４が押下された場合には、アプリケーション部１３ａが送信処理部１３ｄに印刷指示を通知し、この通知を受けた送信処理部１３ｄがアプリケーション部１３ａにより利用されている文書データを印刷用画像データに変換し、印刷設定としてＲＡＭ１５に記憶されている用紙サイズ及び用紙種類を取得して印刷データを作成し（ステップＳ１５）、印刷設定の用紙サイズ及び用紙種類に対応付けられているレコードをＲＡＭ１５から検出し、当該レコードに格納されている複合機のアドレスを用いて複合機に印刷データを送信し、さらに当該レコードの複合機名と、印刷設定の用紙サイズ及び用紙種類とを表示制御部１３ｃに通知する（ステップＳ１６）。次いで、表示制御部１３ｃは、通知を受けると、複合機名と、用紙サイズ及び用紙種類とを図５（４）に示すような出力確認ウインドウ９０により表示する（ステップＳ１７）。これにより、印刷設定として設定されている用紙サイズ及び用紙種類が用意されている複合機に対して印刷データを送信することができ、当該複合機において、設定に従った用紙へ印刷させることができる。また、ユーザに、印刷を行う複合機名を適切に把握させることができる。
【００７５】
図１１は、本発明の一実施形態に係る画像形成管理装置における印刷設定処理のフローチャートである。
印刷設定処理（ステップＳ１３）においては、用紙情報通信部１３ｅがアプリケーション部１３ａから印刷設定指示を受け付けると、ネットワーク４に接続された複数の複合機３Ａ、３Ｂ、３Ｃ等に対して用紙情報要求を送信し、各複合機の各給紙装置に用意されている用紙のサイズ及び種類を含む用紙情報を受信し、その結果をＲＡＭ１５に記憶させる（ステップＳ２０）。
【００７６】
その後、アプリケーション部１３ａから印刷設定指示を受け付けた表示制御部１３ｃが、ＲＡＭ１５に格納された用紙情報に基づいて、図５（１）に示すような印刷設定ウインドウ６０を表示処理部１７により表示装置１１に表示させる（ステップＳ２１）。ここで、図５（１）に示す印刷設定ウインドウ６０は、図３に示す媒体情報テーブルが格納されている場合における表示例を示しており、図５（１）からわかるように、選択候補の用紙サイズ、用紙種類は、媒体情報テーブルに格納されているサイズや種類、すなわち、各複合機において用意されているサイズ、種類が表示される。
次いで、ユーザによる入力装置１２の操作により用紙サイズ又は用紙種類の一方を選択する操作があるか否かを指定受付処理部１３ｂが判定し（ステップＳ２２）、操作があった場合には、その選択内容をＲＡＭ１５に記憶する（ステップＳ２３）。一方、選択操作がない場合には何もしない。
【００７７】
次いで、ユーザによる入力装置１２の操作によりキャンセルボタン６４が押下されたか否かを指定受付処理部１３ｂが判定し（ステップＳ２４）、キャンセルボタン６４が押下されたと判定した場合には、処理を終了することを意味するので、表示制御部１３ｃが印刷設定ウインドウ６０を閉じて処理を終了する。一方、キャンセルボタン６４が押下されていないと判定した場合には、さらにユーザによる入力装置１２の操作によりＯＫボタン６３が押下されたか否かを指定受付処理部１３ｂが判定し（ステップＳ２５）、ＯＫボタン６３が押下されていないと判定した場合には、上記処理（ステップＳ２１〜Ｓ２５）を繰り返し実行する。
【００７８】
一方、ＯＫボタン６３が押下されたと判定した場合には、選択した用紙サイズ又は用紙種類を印刷設定とすることを意味するので、指定受付処理部１３ｂは、ＲＡＭ１５に格納されている用紙サイズ又は用紙種類を表示制御部１３ｃに通知し、表示制御部１３ｃが通知された情報が用紙サイズの指定であるか、又は用紙種類の指定であるかを判定する（ステップＳ２６）。
この結果、用紙サイズの指定である場合には、表示制御部１３ｃが指定された用紙サイズに対応する用紙種類を選択するための図５（２）に示すような種類設定ウインドウ７０を表示する（ステップＳ２７）。ここで、図５（２）に示す種類設定ウインドウ７０は、図３に示す媒体情報テーブルが格納されている場合において、用紙サイズとして”Ａ４”が設定された場合の表示例を示している。図５（２）からわかるように、用紙種類の選択候補は、用紙サイズ”Ａ４”と対応付けられて媒体情報テーブルに格納されている種類、すなわち、各複合機において用意されている用紙の種類が表示されることとなる。
【００７９】
次いで、ユーザによる入力装置１２の操作により用紙種類を選択する操作がある否かを指定受付処理部１３ｂが判定し（ステップＳ２８）、操作があった場合には、その選択された種類をＲＡＭ１５に記憶する（ステップＳ２９）。一方、選択操作がない場合には何もしない。
【００８０】
次いで、ユーザによる入力装置１２の操作によりキャンセルボタン７４が押下されたか否かを指定受付処理部１３ｂが判定し（ステップＳ３０）、キャンセルボタン７４が押下されたと判定した場合には、処理を終了することを意味するので、表示制御部１３ｃが種類設定ウインドウ７０を閉じて処理を終了する。一方、キャンセルボタン７４が押下されていないと判定した場合には、さらに、ユーザによる入力装置１２の操作によりＯＫボタン７３が押下されたか否かを指定受付処理部１３ｂが判定し（ステップＳ３１）、ＯＫボタン７３が押下されていないと判定した場合には、上記処理（ステップＳ２７〜Ｓ３１）を繰り返し実行する。
【００８１】
一方、ＯＫボタン７３が押下されたと判定した場合には、現在の用紙サイズ及び選択された用紙種類を用紙に対する印刷設定とすることを意味するので、指定受付処理部１３ｂは、現在の用紙サイズ及び選択された用紙種類を印刷時における用紙設定としてＲＡＭ１５に反映させる（ステップＳ３２）。これによって、以降において印刷を行う場合には、当該用紙サイズ及び用紙種類での印刷が行われるように処理される。
【００８２】
また、ステップＳ２６において、用紙種類の指定であると判定した場合には、表示制御部１３ｃが指定された用紙種類に対応する用紙サイズを選択するための図５（３）に示すようなサイズ設定ウインドウ８０を表示する（ステップＳ３３）。ここで、図５（３）に示すサイズ設定ウインドウ８０は、図３に示す媒体情報テーブルが格納されている場合において、用紙種類として”ＯＨＰシート”が設定された場合の表示例を示している。図５（３）からわかるように、用紙サイズの選択候補は、用紙種類”ＯＨＰシート”と対応付けられて媒体情報テーブルに格納されている種類、すなわち、各複合機において用意されている用紙サイズが表示されることとなる。
【００８３】
次いで、ユーザによる入力装置１２の操作により用紙サイズを選択する操作がある否かを指定受付処理部１３ｂが判定し（ステップＳ３４）、操作があった場合には、その選択されたサイズをＲＡＭ１５に記憶する（ステップＳ３５）。一方、選択操作がない場合には何もしない。
【００８４】
次いで、ユーザによる入力装置１２の操作によりキャンセルボタン８４が押下されたか否かを指定受付処理部１３ｂが判定し（ステップＳ３６）、キャンセルボタン８４が押下されたと判定した場合には、処理を終了することを意味するので、表示制御部１３ｃがサイズ設定ウインドウ８０を閉じて処理を終了する。一方、キャンセルボタン８４が押下されていないと判定した場合には、さらに、ユーザによる入力装置１２の操作によりＯＫボタン８３が押下されたか否かを指定受付処理部１３ｂが判定し（ステップＳ３７）、ＯＫボタン８３が押下されていないと判定した場合には、上記処理（ステップＳ３３〜Ｓ３７）を繰り返し実行する。
【００８５】
一方、ＯＫボタン８３が押下されたと判定した場合には、現在の用紙種類及び選択された用紙サイズを用紙に対する印刷設定とすることを意味するので、指定受付処理部１３ｂは、現在の用紙種類及び選択された用紙サイズを印刷時における用紙設定としてＲＡＭ１５に反映させる（ステップＳ３２）。これによって、以降において印刷を行う場合には、当該用紙サイズ及び用紙種類での印刷が行われるように処理される。
このように、上記実施形態によると、複数の複合機で印刷可能な用紙種類及び用紙サイズを容易に選択することができる。
【００８６】
以上、本発明を実施形態に基づいて説明したが、本発明は上述した実施の形態に限られず、他の様々な態様に適用可能である。
例えば、上記実施形態においては、画像形成装置の一例としての複合機を例にしていたが、本発明は、複合機に限らず、プリンタ等の他の画像形成装置であってもよい。
また、上記実施形態では、画像形成管理装置を画像形成装置と別の装置により構成するようにしていたが、画像形成管理装置の機能を画像形成装置内に構成するようにしてもよい。この場合、ネットワークに接続された画像形成装置における用紙情報だけでなく、自己に用意された用紙情報をも含めて用紙種類及び用紙サイズの設定を行うようにしてもよい。
【００８７】
上記実施形態では、用紙サイズ、用紙種類とのいずれか一方を先に選択させ、その後他方を選択させるようにしていたが、本発明はこれに限られず、例えば、用紙サイズ及び用紙種類の組み合わせを表示し、その中から用紙サイズ及び用紙種類を選択させるようにしてもよい。
【００８８】
上記実施形態では、アプリケーションデータを印刷する例を示したが、本発明はこれに限られず、例えば、複合機において取り込んだ文書画像データを印刷する場合においても適用することができる。すなわち、複合機で取り込んだ文書画像データを印刷する用紙サイズ及び用紙種類を設定して、当該用紙により印刷可能な複合機により印刷するようにする場合にも適用できる。
【００８９】
また、上記実施形態では、画像形成管理装置から画像形成装置に用紙情報要求を送信して、それに対する応答として画像形成装置から用紙情報を受信するようにしていたが、本発明はこれに限られず、画像形成装置から任意のタイミングに画像形成管理装置に送信するようにしてもよい。例えば、画像形成装置において、用紙情報の設定が変更になった場合に、画像形成管理装置へ送信するようにしてもよい。画像形成装置から用紙情報を送信する場合においては、予め設定されている画像形成管理装置のみに送信するようにしてもよく、ネットワークに存在する全ての画像形成管理装置を探して送信するようにしてもよく、また、ネットワークの所定の範囲に存在する画像形成管理装置に送信するようにしてもよい。
【図面の簡単な説明】
【００９０】
【図１】本発明の一実施形態に係る画像形成システムの構成を示す図である。
【図２】本発明の一実施形態に係る画像形成管理装置の構成を示す図である。
【図３】本発明の一実施形態に係る媒体情報テーブルを説明する図である。
【図４】本発明の一実施形態に係るアプリケーションウインドウを説明する図である。
【図５】本発明の一実施形態に係る複数のウインドウを説明する図である。
【図６】本発明の一実施形態に係る印刷データを説明する図である。
【図７】本発明の一実施形態に係る複合機の構成を示す図である。
【図８】本発明の一実施形態に係る複合機が記憶する各種情報を説明する図である。
【図９】本発明の一実施形態に係る複合機による処理のフローチャートである。
【図１０】本発明の一実施形態に係る画像形成管理装置における印刷処理のフローチャートである。
【図１１】本発明の一実施形態に係る画像形成管理装置における印刷設定処理のフローチャートである。
【符号の説明】
【００９１】
１  画像形成システム、２  画像形成管理装置、３Ａ、３Ｂ、３Ｃ  複合機、４  ネットワーク、１０  装置本体、１１  表示装置、１２  入力装置、１３  ＣＰＵ、１３ａ  アプリケーション部、１３ｂ  指定受付処理部、１３ｃ  表示制御部、１３ｄ  送信処理部、１３ｅ  用紙情報通信部、１４  ＲＯＭ、１５  ＲＡＭ、１６  ハードディスクドライブ、１７  表示処理部、１８  入力インターフェース、１９  コンボドライブ、２０  通信インターフェース、２１  バス、２２  記録媒体、３１  制御ユニット、３２  スキャナ機能部、３３  プリンタ機能部、３４  ＦＡＸ機能部、３５  ＣＰＵ、３５ａ  設定受付処理部、３５ｂ  送信処理部、３５ｃ  機能管理部、３６  ＲＯＭ、３７  ＲＡＭ、３８  ＥＥＰＲＯＭ、３９  入力Ｉ／Ｆ、４０  表示処理部、４１、４２、４３、４４  通信Ｉ／Ｆ、４５  バス、４６  キー部、４７  タッチパネル、４８  ＬＣＤ。
【図１】
2007188154.tif 000003
【図２】
2007188154.tif 000004
【図３】
2007188154.tif 000005
【図４】
2007188154.tif 000006
【図５】
2007188154.tif 000007
【図６】
2007188154.tif 000008
【図７】
2007188154.tif 000009
【図８】
2007188154.tif 000010
【図９】
2007188154.tif 000011
【図１０】
2007188154.tif 000012
【図１１】
2007188154.tif 000013